【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
外部電源から電力が供給される電源部と、
電源部に設けられ、外部電源からの電力の供給が遮断されたことを検出する停電検出部と、
電源部から電力が供給されると共に、停電検出部から出力される停電信号を受信する複数の制御装置と、
停電検出部と複数の制御装置のそれぞれとを接続する複数の信号ラインを備えており、
前記複数の制御装置は、遊技機全体を制御するメイン制御装置と、払出装置を制御する賞球制御装置であり、
複数の信号ラインのそれぞれは、停電検出部から出力される停電信号を伝送し、
メイン制御装置と賞球制御装置のそれぞれは、停電検出部から出力される停電信号を受信すると所要の情報を保存する停電処理を実行する一方で、外部電源からの電力供給が回復すると、その保存した情報に基づいて制御を再開する復電処理を実行するＣＰＵを有しており、
メイン制御装置と賞球制御装置のそれぞれにおいて、その制御装置のＣＰＵとその制御装置に接続されている信号ラインとの間にデジタルフィルタ回路が設けられており、各デジタルフィルタ回路は、そのデジタルフィルタ回路への入力信号の状態が所定の状態となり、その状態が所定期間維持されたときに、信号を出力するように構成されており、
各制御装置のＣＰＵのノンマスカラブルインタラプト入力部とその制御装置に接続されている信号ラインとの間にデジタルフィルタ回路を設けることで、停電検出部から出力される停電信号が各制御装置のＣＰＵのノンマスカラブルインタラプト入力部に同時に入力されることを特徴とする遊技機。
【請求項２】
デジタルフィルタ回路は、発振回路と、その発振回路から出力される信号を分周する分周回路と、分周回路から出力される分周信号に基づいて、入力する信号からノイズを除去するノイズ除去回路と、電源部から供給される電力の電圧が低下して所定レベル以下となると、ノイズ除去回路にリセット信号を出力するリセット回路と、を有しており、
ノイズ除去回路は、当該ノイズ除去回路への入力信号の状態が所定の状態となり、その状態が所定期間維持されたときに、信号を出力するように構成されると共に、電源部から制御装置に供給される電力の電圧が低下して所定レベル以下となると、ＣＰＵへの信号の出力を停止するよう構成されていることを特徴とする請求項１に記載の遊技機。
【請求項３】
外部電源から電力が供給される電源部と、
電源部に設けられ、外部電源からの電力の供給が遮断されたことを検出する停電検出部と、
電源部から電力が供給されると共に、停電検出部から出力される停電信号を受信する複数の制御装置と、
停電検出部と複数の制御装置のそれぞれとを接続する複数の信号ラインを備えており、
前記複数の制御装置は、遊技機全体を制御するメイン制御装置と、払出装置を制御する賞球制御装置であり、
複数の信号ラインのそれぞれは、停電検出部から出力される停電信号を伝送し、
メイン制御装置と賞球制御装置のそれぞれは、停電検出部から出力される停電信号を受信すると所要の情報を保存する停電処理を実行する一方で、外部電源からの電力供給が回復すると、その保存した情報に基づいて制御を再開する復電処理を実行するＣＰＵを有しており、
メイン制御装置と賞球制御装置のそれぞれにおいて、その制御装置のＣＰＵとその制御装置に接続されている信号ラインとの間にデジタルフィルタ回路が設けられており、
各デジタルフィルタ回路は、
発振回路と、
その発振回路から出力される信号を分周する分周回路と、
分周回路から出力される分周信号に基づいて、入力する信号からノイズを除去するノイズ除去回路と、
電源部から供給される電力の電圧が低下して所定レベル以下となると、ノイズ除去回路にリセット信号を出力するリセット回路と、を有しており、
各ノイズ除去回路は、当該ノイズ除去回路への入力信号の状態が所定の状態となり、その状態が所定期間維持されたときに、ＣＰＵに信号を出力するように構成されると共に、電源部から制御装置に供給される電力の電圧が低下して所定レベル以下となると、ＣＰＵへの信号の出力を停止するよう構成されており、
各制御装置のＣＰＵとその制御装置に接続されている信号ラインとの間にデジタルフィルタ回路を設けることで、停電検出部から出力される停電信号が各制御装置のＣＰＵに同時に入力されることを特徴とする遊技機。
【手続補正２】
【補正対象書類名】明細書
【補正対象項目名】０００５
【補正方法】変更
【補正の内容】
【０００５】
上記課題を解決するため本願の遊技機は、外部電源から電力が供給される電源部と、電源部に設けられ、外部電源からの電力の供給が遮断されたことを検出する停電検出部と、電源部から電力が供給されると共に、停電検出部から出力される停電信号を受信する複数の制御装置と、停電検出部と複数の制御装置のそれぞれとを接続する複数の信号ラインを備えている。
複数の制御装置は、遊技機全体を制御するメイン制御装置と、払出装置を制御する賞球制御装置であり、複数の信号ラインのそれぞれは、停電検出部から出力される停電信号を伝送し、メイン制御装置と賞球制御装置のそれぞれは、停電検出部から出力される停電信号を受信すると所要の情報を保存する停電処理を実行する一方で、外部電源からの電力供給が回復すると、その保存した情報に基づいて制御を再開する復電処理を実行するＣＰＵを有している。
メイン制御装置と賞球制御装置のそれぞれにおいて、その制御装置のＣＰＵとその制御装置に接続されている信号ラインとの間にデジタルフィルタ回路が設けられている。各デジタルフィルタ回路は、そのデジタルフィルタ回路への入力信号の状態が所定の状態となり、その状態が所定期間維持されたときに、信号を出力するように構成されている。そして、各制御装置のＣＰＵのノンマスカラブルインタラプト入力部とその制御装置に接続されている信号ラインとの間にデジタルフィルタ回路を設けることで、停電検出部から出力される停電信号が各制御装置のＣＰＵのノンマスカラブルインタラプト入力部に同時に入力される。
【手続補正３】
【補正対象書類名】明細書
【補正対象項目名】０００６
【補正方法】変更
【補正の内容】
【０００６】
上記遊技機によれば、複数の制御装置のそれぞれにおいて、その制御装置に停電信号を伝送する信号ラインとその制御装置のＣＰＵのノンマスカラブルインタラプト入力部との間にデジタルフィルタ回路が設けられる。デジタルフィルタ回路は、そのフィルタ回路への入力信号の状態が所定の状態となり、その状態が所定期間維持されたときに、信号を出力するように構成される。したがって、ノイズ等のような瞬間的な信号が信号ラインにのった場合は、デジタルフィルタ回路への入力信号の状態は瞬間的に所定の状態（信号ＯＮの状態）となるが、その状態が所定期間は維持されない。このため、デジタルフィルタ回路からは信号が出力されず、制御装置のＣＰＵで信号を受信することはない。また、停電検出部から出力された検出信号がデジタルフィルタ回路へ入力する場合は、デジタルフィルタ回路への入力信号の状態は所定の状態（信号がＯＮの状態）となり、その状態が所定期間維持される。したがって、デジタルフィルタ回路から信号が出力され、この信号が制御装置のＣＰＵのノンマスカラブルインタラプト入力部で受信される。
なお、上記デジタルフィルタ回路では、入力信号の状態が変化してから（所定の状態となってから）所定期間経過したときに信号を出力するように構成されており、その出力される信号はＯＦＦ状態からＯＮ状態に瞬間的に切り替わる。このため、コンデンサ等のアナログ素子を使用したフィルタ回路で生じる出力信号の時間的変化率（立上がり時間、追従性等）のばらつき等の問題はなく、各制御装置のＣＰＵのノンマスカラブルインタラプト入力部は同時にフィルタ回路から出力された信号を受信することができる。
なお、ここでいう「同時」とは、完全に同時ということではなく、各制御装置のＣＰＵにおいて検出信号を受信するタイミングがずれるような場合であっても、そのようなずれが無視できるような場合（各制御装置のＣＰＵの同期が図れるような場合）には、ここでいう「同時」に含まれる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
上記の遊技機では、各信号ラインに設けられるデジタルフィルタ回路のクロック回路を共有化、すなわち、一つのクロック回路から複数のノイズ除去回路にクロック信号を供給するような構成としてもよい。このような構成によれば各信号ラインに設けられたデジタルフィルタ回路のクロック信号が共通化されるため、各制御装置は同時に検出信号を受信することができる。
なお、前記クロック回路として熱に強い水晶振動子やＶＣＯ等を用いれば、高度に電装化された遊技機において特に有効である。高度に電装化された遊技機では遊技機に装備された各種電装装置から熱が発生し、クロック回路も加熱されるためである。
【手続補正７】
【補正対象書類名】明細書
【補正対象項目名】００１０
【補正方法】変更
【補正の内容】
【００１０】
なお、上記の遊技機においては、制御装置と、その制御装置への信号ラインに設けられるデジタルフィルタ回路とが一つの基板上に実装されていることが好ましい。
このような構成によれば、デジタルフィルタ回路と制御装置との間の信号ラインにノイズがのる可能性を低くすることができるとともに、デジタルフィルタ回路と制御装置が一つの基板上に実装されることで停電検出部と制御装置との間の配線作業や、これらの装置の遊技機本体への取付作業等を容易化することができる。
【手続補正８】
【補正対象書類名】明細書
【補正対象項目名】００１１
【補正方法】削除
【補正の内容】